(57)【要約】  ラベルプリンタユーザインターフェース上に第１画像を提供し、ここで、該第１画像は、印刷される少なくとも１つのラベル及びラベルが適用される少なくとも１つの対象のうちの少なくとも一方を表し；該第１画像に関連する該ユーザインターフェース上に第２画像を提供し、ここで、該第２画像は該１画像の寸法を表し；ユーザが該第２画像の寸法を変更することを可能にし；該第２画像の寸法が変更されたときに、それに応じて該第１画像の寸法を更新することを含む方法を提供する。
2016517560.tif 000002
【特許請求の範囲】
【請求項１】
次の工程：
ラベルプリンタユーザインターフェース上に第１画像を提供し、ここで、該第１画像は、印刷される少なくとも１つのラベル及びラベルが適用される少なくとも１つの対象のうちの少なくとも一方を表し；
該第１画像に関連する該ユーザインターフェース上に第２画像を提供し、ここで、該第２画像は該１画像の寸法を表し；
ユーザが該第２画像の寸法を変更することを可能にし；
該第２画像の寸法が変更されたときに、それに応じて該第１画像の寸法を更新すること
を含む方法。
【請求項２】
前記第２画像の前記寸法の数値を前記ユーザインターフェース上に表示し、ここで、該第２画像の寸法を変更したときに、それに応じて該数値を更新する、請求項１に記載の方法。
【請求項３】
前記数値を前記第２画像に隣接して表示する、請求項２に記載の方法。
【請求項４】
前記数値を前記ユーザインターフェースのツールバー領域に表示する、請求項２又は３に記載の方法。
【請求項５】
前記第１画像の寸法が、印刷されるラベルの長さ、印刷されるラベルの幅及びラベルが適用される少なくとも１つの対象の寸法の１以上を含む、請求項１〜４のいずれかに記載の方法。
【請求項６】
前記第１画像の寸法が、印刷されるラベル間の距離又はラベルが適用される２以上の対象間の距離の１以上を含む、請求項１〜４のいずれかに記載の方法。
【請求項７】
前記第２画像が矢印を含む、請求項１〜６のいずれかに記載の方法。
【請求項８】
前記第２画像の寸法を変更することが、該第２画像の端を選択し、ドラッグすることを含む、請求項１〜７のいずれかに記載の方法。
【請求項９】
前記第２画像を変更することが、前記ユーザインターフェース上の第１の位置で該第２画像の端を選択し、続いて該ユーザインターフェース上の第２の位置を選択することを含む、請求項１〜７のいずれかに記載の方法。
【請求項１０】
前記少なくとも１つの対象がパイプ、ケーブル、ブレーカ、パッチパネル、分配パネル、端子ブロック及び１１０ブロックのうちの一つを含む、請求項１〜９のいずれかに記載の方法。
【請求項１１】
前記第２画像の寸法を変更したときに、前記第１画像の外観を該変更された寸法に依存して変更する、請求項１〜１０のいずれかに記載の方法。
【請求項１２】
コンピュータプログラムであって、該プログラムがコンピュータ上で実行されるときに請求項１〜１１のいずれかに記載の方法を実行するように構成されたコンピュータプログラムコード手段を備えるコンピュータプログラム。
【請求項１３】
コントローラを備える装置であって、該コントローラは、
ディスプレイドライバに、該ディスプレイドライバがディスプレイにラベルプリンタユーザインターフェース上で第１画像を表示するためにディスプレイを駆動するためのデータを出力し、ここで、該第１画像は、印刷される少なくとも１つのラベル又はラベルが適用される少なくとも１の対象の少なくとも一つを表し；そして、
該第１画像に関連する該ユーザインターフェース上に第２画像を表示し、ここで、該第２画像が該第１画像の寸法を表す
ように構成され；
該コントローラは、ユーザが該第２画像の寸法を変更することを可能にするように構成され；
該第２画像の寸法が変更されたときに、該コントローラは、それに応じて該第１画像の寸法を更新するように構成される装置。
【請求項１４】
前記コントローラは、前記ディスプレイに、前記ユーザインターフェース上の前記第２画像の寸法の数値を表示させるためのデータを出力するように構成され、該第２画像の寸法が変更されたときに、それに応じて該数値が更新される、請求項１３に記載の装置。
【請求項１５】
前記コントローラが、前記数値を前記第２画像に隣接して表示させるように構成される、請求項１４に記載の装置。
【請求項１６】
前記コントローラは、前記数値を前記ユーザインターフェースのツールバー領域内に表示させるように構成される、請求項１４又は１５に記載の装置。
【請求項１７】
前記第１画像の寸法が、印刷されるラベルの長さ、印刷されるラベルの幅及びラベルが適用される対象の寸法の一つ以上を含む、請求項１３〜１６のいずれかに記載の装置。
【請求項１８】
前記第１画像の寸法は、印刷されるラベル間の距離及びラベルが適用される２以上の対象間の距離の一つ以上を含む、請求項１３〜１６のいずれかに記載の装置。
【請求項１９】
前記第２画像が矢印を含む、請求項１３〜１８のいずれかに記載の装置。
【請求項２０】
前記コントローラが、前記第２画像の端を選択してドラッグする操作に応じて該第２画像の寸法を変更するように構成される、請求項１３〜１９のいずれかに記載の装置。
【請求項２１】
前記コントローラが、前記ユーザインターフェース上の第１の位置で前記第２画像の端を選択し、続いて該ユーザインターフェース上の第２の位置を選択する操作に応答して該第２画像の寸法を変更するように構成される、請求項１３〜１９のいずれかに記載の装置。
【請求項２２】
前記少なくとも１の対象がパイプ、ケーブル、ブレーカ、パッチパネル、分配パネル、端子ブロック及び１１０ブロックのうちの一つを含む、請求項１３〜２１のいずれかに記載の装置。
【請求項２３】
前記コントローラが、前記第２画像の寸法を変更したときに、前記第１画像の外観を該変更された寸法に依存して変更するように構成される、請求項１３〜２２のいずれかに記載の装置。
【発明の詳細な説明】
【技術分野】
【０００１】
本願は、ラベルプリンタ用のユーザインターフェース及び該ユーザインターフェースに関連する態様に関する。
【背景技術】
【０００２】
既知のラベル印刷装置が、ＥＰ−Ａ−３２２９１８及びＥＰ−Ａ−３２２９１９（ブラザー工業株式会社）、及びＥＰ−Ａ−２６７８９０（Ｖａｒｉｔｒｏｎｉｃ）に開示されている。ラベル印刷装置はそれぞれ、カセット又はテープ保持ケースを受け入れるためのカセット受け入れベイを含む。ＥＰ−Ａ−２６７８９０において、テープ保持ケースは、インクリボン及び基板テープを収容し、基板テープは、裏当て層に接着剤で固定された上方画像受け取り層を備える。ＥＰ−Ａ−３２２９１８及びＥＰ−Ａ−３２２９１９において、テープ保持ケースは、インクリボン、透明画像受け取りテープ、及び両面粘着テープを収容する。両面粘着テープは、印刷後、接着剤がコーティングされた両面の一方で画像テープに固定され、また、他の接着剤コーティング面から剥離可能な裏当て層を有する。これら両装置では、画像転写媒体(インクリボン)と画像受け取りテープ(基体)は、同じカセットにある。
【０００３】
例えば、ＥＰ−Ａ−５７８３７２において、インクリボン及び基板テープを別個のカセットに収容することも本出願人によって提案されている。
【０００４】
これらの場合の全てにおいて、画像受け取りテープは、インクリボンとオーバーラップして印刷域へと進む。印刷域は、固定印刷ヘッドとプラテンとからなる。前記印刷ヘッドは、画像をインクリボンから画像受け取りテープへと転写させるために、プラテンに対し押し付けられ得る。これを行う、乾式レタリング又は乾式フィルムインプレッションを含む多くの方法が存在するが、最も一般的な方法は、現在、熱印刷によるものである。該熱印刷では、印刷ヘッドが加熱され、熱がインクをインクリボンから画像受け取りテープに移す。
【０００５】
他の既知のテープ印刷装置において、いわゆる直接熱テープが使用され、ここでは、画像がインクリボンカセットの介在なしで直接熱テープ上に直接作り出される。印刷ヘッドの要素が加熱され、該熱が直接熱テープ内の化学物質を反応させ、テープ内又はテープ上に画像を生成する。
【０００６】
上述したタイプの装置にはキーボードが設けられ、キーボードは、ユーザが、テーププリンタによって印刷される画像を形成するために文字、記号等を入力することを可能にする。キーボードは、通常、文字及び数をそれぞれ入力するためのテキスト文字キー及び数字キーと、いくつかの機能キーを有する。機能キーは、とりわけ、メニューを動作させ、印刷属性が設定されることを可能にする。
【０００７】
「スタンドアローン」ラベルプリンタは、ＰＣ又は他のコンピューティング装置に接続されたプリンタを備える「ラベルプリンタシステム」と区別され得る。そのようなラベルプリンタシステムにおいて、ユーザは、ＰＣを使用して印刷のためのラベルを作り出し又は編集し、次いで、印刷データをプリンタに送信し、プリンタが印刷データをラベル媒体上に印刷するようにする。そのようなラベルプリンタシステムにおいて、ユーザは、プリンタのディスプレイではなくＰＣのディスプレイを見て、ラベルを作り出す。また、ラベルを作り出すためのラベル編集ソフトウェアが、プリンタではなくＰＣに格納されて実行される。
【０００８】
対照的に、スタンドアローンラベルプリンタは、ＰＣ又は他のコンピュータとは独立に動作してラベルを作り出して印刷する。いつくかのスタンドアローンプリンタは、あるデータを受信するためにＰＣ又は他のコンピュータと接続可能であるが、それらは、それにもかかわらず、印刷用のラベルを作り出すためにＰＣ又は他のコンピュータから独立して動作する。これは、ラベルを作り出すために使用されるラベル編集ソフトウェアがラベルプリンタ自体に格納され実行されるためである。そのため、スタンドアローンラベルプリンタは、通常、一体型ディスプレイを含む。該ディスプレイを介して、ユーザはラベル編集ソフトウェアのインターフェースを見ることができる。
【先行技術文献】
【特許文献】
【０００９】
【特許文献１】ＥＰ−Ａ−３２２９１８
【特許文献２】ＥＰ−Ａ−３２２９１９
【特許文献３】ＥＰ−Ａ−２６７８９０
【特許文献４】ＥＰ−Ａ−５７８３７２
【発明の概要】
【課題を解決するための手段】
【００１０】
第１の態様によれば、ラベルプリンタユーザインターフェース上に第１画像を提供し、ここで、該第１画像は、印刷されるラベル又はラベルが適用される対象を表し；該第１画像に関連する該ユーザインターフェース上に第２画像を提供し、ここで、該第２画像は該１画像の寸法を表し；ユーザが該第２画像の寸法を変更することを可能にし；該第２画像の寸法が変更されたときに、それに応じて該第１画像の寸法を更新することを含む方法を提供する。
【００１１】
好ましくは、第２画像の寸法の数値を前記ユーザインターフェース上に表示し、ここで、該第２画像の寸法を変更したときに、それに応じて該数値を更新する。
【００１２】
好ましくは、数値を前記第２画像に隣接して表示する。
【００１３】
好ましくは、数値をユーザインターフェースのツールバー領域に表示する。
【００１４】
好ましくは、第１画像の寸法は、印刷されるラベル又はラベルが適用される対象の長さ及び幅の一方を含む。
【００１５】
好ましくは、第１画像の寸法は、印刷されるラベル又はラベルが適用される対象間の距離を含む。
【００１６】
好ましくは、第２画像は矢印を含む。
【００１７】
好ましくは、第２画像の寸法を変更することが、該第２画像の端を選択し、ドラッグすることを含む。
【００１８】
好ましくは、第２画像を変更することが、ユーザインターフェース上の第１の位置で該第２画像の端を選択し、続いて該ユーザインターフェース上の第２の位置を選択することを含む。
【００１９】
さらなる態様では、コンピュータプログラムであって、該プログラムがコンピュータ上で実行されるときに上記の方法を実行するように構成されたコンピュータプログラムコード手段を備えるコンピュータプログラムが提供される。
【００２０】
さらなる態様では、コントローラを備える装置であって、該コントローラは、ディスプレイドライバに、該ディスプレイドライバがディスプレイにラベルプリンタユーザーインターフェース上で第１画像を表示するためにディスプレイを駆動するためのデータを出力し、ここで、該第１画像は、印刷されるラベル又はラベルが適用される対象を表し、そして、該第１画像に関連するユーザインターフェース上に第２画像を表示し、ここで、該第２画像が該第１画像の寸法を表すように構成され；該コントローラは、ユーザが該第２画像の寸法を変更することを可能にするように構成され；該第２画像の寸法が変更されたときに、該コントローラは、それに応じて該第１画像の寸法を更新するように構成される装置が提供される。
【００２１】
好ましくは、コントローラは、ディスプレイに、ユーザインターフェース上の第２画像の寸法の数値を表示させるためのデータを出力するように構成され、該第２画像の寸法が変更されたときに、それに応じて該数値が更新される。
【００２２】
好ましくは、コントローラは、数値を第２画像に隣接して表示させるように構成される。
【００２３】
好ましくは、コントローラは、数値をユーザインターフェースのツールバー領域内に表示させるように構成される。
【００２４】
好ましくは、第１画像の寸法は、印刷されるラベル又はラベルが適用される対象の長さ及び幅の一方を含む。
【００２５】
好ましくは、第１画像の寸法は、印刷されるラベル又はラベルが適用される対象間の距離を含む。
【００２６】
好ましくは、第２画像は矢印を含む。
【００２７】
好ましくは、コントローラは、第２画像の端を選択してドラッグする操作に応じて該第２画像の寸法を変更するように構成される。
【００２８】
好ましくは、コントローラは、ユーザインターフェース上の第１の位置で前記第２画像の端を選択し、続いて該ユーザインターフェース上の第２の位置を選択する操作に応答して該第２画像の寸法を変更するように構成される。
【００２９】
さらなる態様では、ディスプレイ上に、ラベルプリンタ用のユーザインターフェースを提供し；該ユーザインターフェース上に、ラベル作成処理に関連する第１画面を表示し；セレクタで該ディスプレイ上の第１位置を選択し、そして該セレクタを該ディスプレイ上の第２位置に移動させることに応答して、該ユーザインターフェース上に、該ラベル作成処理に関連する第２画面を表示することを含み、該２画面が該第１画面とは異なる方法が提供される。
【００３０】
好ましくは、セレクタは、ディスプレイ上にユーザ制御ポインタを備える。
【００３１】
或いは、ディスプレイはタッチスクリーンを含み、セレクタはユーザの指及びスタイラスの１つを含む。
【００３２】
好ましくは、第２ポイントは、第１ポイントから垂直に配置される。
【００３３】
好ましくは、第２ポイントは、第１ポイントから水平に配置される。
【００３４】
好ましくは、ユーザインターフェース上に表示された第２画面の内容は、セレクタをディスプレイ上で移動させる方向に依存する。
【００３５】
好ましくは、セレクタがディスプレイ上で右から左へ移動するのに応じて、ユーザインターフェースがラベル作成処理の次のステップに進む。
【００３６】
好ましくは、セレクタがディスプレイ上で左から右に移動するに応じて、ユーザインターフェースがラベル作成処理の前のステップに移行する。
【００３７】
好ましくは、ラベル作成処理は、ラベル作成ウィザードを含む。
【００３８】
好ましくは、ユーザインターフェースは、ユーザにラベル作成処理の進捗状況を示すためのインジケータを含む。
【００３９】
好ましくは、インジケータは、第１画面から第２画面への移動に応じて自動的に更新する。
【００４０】
さらなる態様では、コンピュータプログラムであって、該プログラムがコンピュータ上で実行されるときに上記の方法を実行するように構成されたコンピュータプログラムコード手段を含むコンピュータプログラムが提供される。
【００４１】
さらなる態様では、コントローラを備える装置であって、該コントローラは、ディスプレイドライバに、ディスプレイドライバがディスプレイにラベルプリンタ用のユーザインターフェースを表示するためにディスプレイを駆動するためのデータを出力し；該ユーザインターフェースに、ラベル作成処理に関連する第１画面を表示するように構成され；そして、セレクタによるディスプレイ上の第１位置の選択及び該ディスプレイ上での第２位置への該セレクタの移動を検出することに応答して、該コントローラは、ユーザインターフェースに、該ラベル作成処理に関連する第２画面を表示するように構成され、ここで、第２画面は第１画面とは異なる装置が提供される。
【００４２】
好ましくは、セレクタは、ディスプレイ上にユーザ制御ポインタを備える。
【００４３】
好ましくは、ディスプレイはタッチスクリーンを含み、セレクタはユーザの指及びスタイラスの１つを含む。
【００４４】
好ましくは、第２ポイントは、第１ポイントから垂直に配置される。
【００４５】
好ましくは、第２ポイントは、第１ポイントから水平に配置される。
【００４６】
好ましくは、ユーザインターフェース上に表示された第２画面の内容は、セレクタをディスプレイ上で移動させる方向に依存する。
【００４７】
好ましくは、ディスプレイ上で右から左へのセレクタの移動を検出することに応答して、コントローラは、ユーザインターフェースをラベル作成処理の次のステップに進ませるように構成される。
【００４８】
好ましくは、ディスプレイ上で左から右へのセレクタの移動を検出することに応答して、ユーザインターフェースがラベル作成処理の前のステップに移行する。
【００４９】
好ましくは、ラベル作成処理は、ラベル作成ウィザードを含む。
【００５０】
好ましくは、コントローラは、ユーザインターフェースがラベル作成処理の進捗状況を示すためのインジケータをユーザに表示するように構成される。
【００５１】
好ましくは、コントローラは、第１画面から第２画面への移動に応じてインジケータを自動的に更新するように構成される。
【００５２】
さらなる態様では、ユーザインターフェースに、ラベル作成処理における多数のエラーに関連するエラーカウンタを表示し；ユーザが該エラーカウンタの各エラーを繰り返すことを可能にすることを含み、該エラーカウンタの表示エラー数に関連するエラーを、該ユーザインターフェースのプレビュー領域に表示する方法が提供される。
【００５３】
好ましくは、視覚的インジケータを表示エラーに隣接して表示する。
【００５４】
好ましくは、該エラーを含む対象又はラベルの画像をプレビュー領域に集中させる。
【００５５】
好ましくは、表示エラーが一連のラベルのうちのどのラベルに関連するのかをユーザに知らせるラベル番号インジケータを設ける。
【００５６】
好ましくは、エラーカウンタは、プレビュー領域に少なくとも部分的にオーバーレイするポップアップウィンドウを含む。
【００５７】
好ましくは、エラーカウンタは、ユーザによってアクティブにされると、エラーカウンタのカウント数が増加する少なくとも１つの関連するアイコンを含む。
【００５８】
好ましくは、エラーカウンタは、ユーザによってアクティブにされると、エラーカウンタのカウント数が減少する少なくとも１つの関連するアイコンを含む。
【００５９】
さらなる態様では、コンピュータプログラムであって、該プログラムがコンピュータ上で実行されるときに上記の方法を実行するように構成されるコンピュータプログラムコード手段を備えるコンピュータプログラムが提供される。
【００６０】
さらなる態様では、コントローラを備える装置であって、該コントローラは、ディスプレイドライバが、ディスプレイに、ラベル作成処理における多数のエラーに関連するエラーカウンタをユーザインターフェース上で表示するためにディスプレイを駆動するためのデータを、該ディスプレイドライバに出力するように構成され；該コントローラは、ユーザが該エラーカウンタの各エラーを繰り返すことを可能にするように構成され；該コントローラは、該エラーカウンタの表示エラー数に関連するエラーを該ユーザインターフェースのプレビュー領域に表示させるように構成される装置が提供される。
【００６１】
好ましくは、コントローラは、視覚的インジケータを表示エラーに隣接して表示させるように構成される。
【００６２】
好ましくは、コントローラは、エラーを含む対象又はラベルの画像をプレビュー領域に集中させるように構成される。
【００６３】
好ましくは、コントローラは、表示エラーが一連のラベルのうちどのラベルに関連しているかをユーザに知らせるラベル番号インジケータを表示するように構成される。
【００６４】
好ましくは、エラーカウンタは、プレビュー領域に少なくとも部分的にオーバーレイするポップアップウィンドウを含む。
【００６５】
好ましくは、エラーカウンタが少なくとも一つの関連アイコンを含み、ユーザによる該アイコンのアクティブ化に応答して、コントローラは、該エラーカウンタのカウント数が増加するように構成される。
【００６６】
好ましくは、エラーカウンタは、少なくとも１つの関連アイコンを含み、ユーザによる該アイコンのアクティブ化に応答して、コントローラは、該エラーカウンタのカウント数が減少するように構成される。
【００６７】
さらなる態様では、ラベルプリンタユーザインターフェースを、第１領域において印刷されるラベルのプレビューを表示し、そして、第２領域においてラベルを作成するための複数の選択肢に関連する少なくとも１つのアイコンを表示するように制御することを含み；ここで、ユーザによる該少なくとも１つのアイコンの選択後に、該複数の選択肢をユーザに表示し、それによって、該表示された複数の選択肢が該第１領域と少なくとも部分的に重なる方法が提供される。
【００６８】
好ましくは、第１領域は、印刷されるラベルに関連する対象の画像を表示する。
【００６９】
好ましくは、第１領域の大きさは一定のままである。
【００７０】
好ましくは、複数の選択肢がリストとして表示される。
【００７１】
好ましくは、複数の選択肢がメニューとして表示される。
【００７２】
好ましくは、表示された複数の選択肢は、第２領域には重ならない。
【００７３】
好ましくは、表示された複数の選択肢は、選択されたアイコンを指すインジケータを含む。
【００７４】
好ましくは、複数のアイコンが第２領域に表示され、第２アイコンの選択後に、該２アイコンに関連する複数の選択肢を表示する。
【００７５】
好ましくは、第２アイコンの選択に応じて、インジケータが第２アイコンを指す。
【００７６】
さらなる態様では、コンピュータプログラムであって、該プログラムがコンピュータ上で実行されるときに上記の方法を実行するように構成されたコンピュータプログラムコード手段を備えるコンピュータプログラムが提供される。
【００７７】
さらなる態様では、コントローラを備える装置であって、該コントローラは、ディスプレイドライバが印刷されるラベルのプレビューをユーザインターフェースの第１領域に表示するためにディスプレイを駆動するためのデータをディスプレイドライバに出力し；そして、第２領域において、ラベルを作成するための複数の選択肢に関連する少なくとも１つのアイコンを表示するように構成され；ここで、ユーザによる該少なくとも１つのアイコンの選択後に、コントローラは、該複数の選択肢をユーザに表示し、それによって該表示された複数の選択肢が該第１領域と少なくとも部分的に重なるように構成される装置が提供される。
【００７８】
好ましくは、コントローラは、ラベルに関連する対象の画像を第１領域に表示させるようにさらに構成される。
【００７９】
好ましくは、コントローラは、第１領域のサイズを一定に維持するように構成される。
【００８０】
好ましくは、コントローラは、複数の選択肢をリストとして表示するように構成される。
【００８１】
好ましくは、コントローラは、複数の選択肢をメニューとして表示するように構成される。
【００８２】
好ましくは、コントローラは、複数の選択肢が第２領域に重ならないように該複数の選択肢を表示するように構成される。
【００８３】
好ましくは、コントローラは、表示された複数の選択肢に、選択されたアイコンを指すインジケータを与えるように構成される。
【００８４】
好ましくは、コントローラは、複数のアイコンを第２領域に表示させるように構成され、第２アイコンの選択後に、該コントローラは、第２アイコンに関連する複数の選択肢を表示させるように構成される。
【００８５】
好ましくは、第２アイコンの選択に応答して、コントローラは、インジケータが該第２アイコンを指すように構成される。
【００８６】
図面を参照しつつ単なる例示として実施形態を以下に説明する。
【図面の簡単な説明】
【００８７】
【図１】図１は、ラベル印刷システムの一タイプの所定部分を示す平面図である。
【図２】図２は、ラベル印刷システムの別のタイプの所定部分を示す平面図である。
【図３】図３は、ラベル印刷システムの所定部分の概略図である。
【図４】図４は、ある実施形態に従うユーザインターフェースを示す。
【図５】図５は、ある実施形態に従うユーザインターフェースを示す。
【図６】図６は、図５のユーザインターフェースの進展を示す。
【図７】図７は、図６のユーザインターフェースの進展を示す。
【図８】図８は、さらなる実施形態に係るユーザインターフェースを示す。
【図９】図９は、図８のユーザインターフェースの進展を示す。
【図１０】図１０は、さらなる実施形態に係るユーザインターフェースを示す。
【図１１】図１１は、図１０のユーザインターフェースの進展を示す。
【図１２】図１２は、図１１のユーザインターフェースの進展を示す。
【図１３】図１３は、図１２のユーザインターフェースの進展を示す。
【図１４】図１４は、さらなる実施形態に係るユーザインターフェースを示す。
【図１５】図１５は、図１４のユーザインターフェースの進展を示す。
【図１６】図１６は、さらなる実施形態に係るユーザインターフェースを示す。
【図１７】図１７は、図１６のユーザインターフェースの進展を示す。
【図１８】図１８は、図１７のユーザインターフェースの進展を示す。
【図１９】図１９は、さらなる実施形態に係るユーザインターフェースを示す。
【図２０】図２０は、図１９のユーザインターフェースの進展である。
【図２１ａ】図２１ａは、第１のタイプのケーブルの選択を示す。
【図２１ｂ】図２１ｂは、第２のタイプのケーブルの選択を示す。
【図２２ａ】図２２ａは第１パイプラベル基準の選択を示す。
【図２２ｂ】図２２ｂは第２パイプラベル基準の選択を示す。
【図２３ａ】図２３ａはいくつかの利用可能なパッチパネル基準又はテンプレートを示す。
【図２３ｂ】図２３ｂは第１テンプレートの選択を示す。
【図２３ｃ】図２３ｃは第２テンプレートの選択を示す。
【図２４ａ】図２４ａはブレーカの第１ポール番号の選択を示す。
【図２４ｂ】図２４ｂはブレーカの第２ポール番号の選択を示す。
【図２５ａ】図２５ａはパッチパネルの全てのポートに対する１つのラベルの選択を示す。
【図２５ｂ】図２５ｂは、パッチパネルのポートの各グループに対する１つのラベルの選択を示す。
【図２６ａ】図２６ａはパイプマーキングラベルのために表示される情報のいくつかの例を示す。
【図２６ｂ】図２６ｂはパイプマーキングラベルのために表示される情報のいくつかの例を示す。
【図２６ｃ】図２６ｃはパイプマーキングラベルのために表示される情報のいくつかの例を示す。
【発明を実施するための形態】
【００８８】
図１は第１ラベルプリンタの平面図を示し、第１ラベルプリンタは、該プリンタに配列された２つのカセットを有する。一般に、このラベルプリンタ１は、時間の少なくとも一部においてバッテリーにより電力が供給される。代替的に又は付加的に、ラベルプリンタは、コンセントから電力が供給され得る。
【００８９】
上方カセットは、第１カセット受け取り部２６に位置付けられ、画像受け取りテープ４の供給部を含む。画像受け取りテープ４は、ラベルプリンタ１の印刷域３を通ってラベルプリンタ１の出口５へと進む。画像受け取りテープ４は、その上面に印刷された画像を受け取るための上層を備え、また、粘着層によりコーティングされた他の面を有し、粘着層に剥離可能な裏当て層が固定される。上方カセット２は、ラベルプリンタ１のプラテン８を収容するための凹部と、印刷域３を通じてテープを案内するためのガイド部２２及び２４とを有する。プラテン８は、ケージモールディング１０内に回転のために取り付けられる。あるいは、プラテンは、ピンに回転のために取り付けられ得る。代替的に又は付加的に他のタイプの画像受け取りテープが使用され得ることが認識されるべきである。例えば、画像受け取りテープには、複数のダイカットラベルが与えられ得る。
【００９０】
下方カセット１１は、第２カセット受け取り部２８に配置され、熱転写リボン１２を含む。熱転写リボン１２は、カセット１１内において供給スプール３０から巻き取りスプール３２へと延びる。熱転写リボン１２は、画像受け取りテープ４とオーバーラップして印刷域３を通って延びる。カセット１１は、ラベルプリンタ１の印刷ヘッド１８を受け取るための凹部１４と、熱転写リボン１２を印刷域３を通るように案内するためのガイド部３４及び３６とを有する。印刷ヘッド１８は、印刷ヘッド１８がプラテン８と接触し、かつ印刷ヘッド１８とプラテン８との間で熱転写リボン１２と画像受け取りテープ４とを重ねて保持する図１に示す動作位置と、印刷ヘッド１８がプラテン８から離れ、熱転写リボン１２及び画像受け取りテープ４を解放する非動作位置との間を移動可能である。動作位置において、プラテン８は回転して、画像受け取りテープ１２を印刷ヘッド１８を過ぎるよう駆動し、また、印刷ヘッド１８は、リボン１２からのインクの熱転写により画像受け取りテープ４上に画像を印刷するように制御される。印刷ヘッド１８における印刷要素各々は、別々に作動可能であり得、また、印刷される望ましい画像に従って作動される。ラベルプリンタ１は、蓋（図示せず）を有し、該蓋は、カセット受け取り部２６及び２８の後部に沿ってヒンジ付けられ、また、所定の位置で両カセットをカバーする。
【００９１】
ＤＣモータ７(図３参照)はプラテン８を連続的に駆動する。プラテンは、それ自身の回転の作動により、画像受け取りテープ４を印刷域３を通じて駆動するように構成される。他の実施形態において、印刷ヘッドを横切る画像受け取りテープの移送は、例えば、プリンタ又はカセットの別個の駆動ローラ、又はテープの両側に配置される一対の協同ローラ、又は他の手段等の他の手段により行うことができる。
【００９２】
画像は、列（コラム）ベースにより列における画像受け取りテープ上に印刷ヘッド１８によって印刷される。列は、テープ４の移動方向において互いに近接する。
【００９３】
図２は、一つのカセットシステムを使用する第２ラベルプリンタ１’のカセットベイを平面図で例示する。同じ参照番号が、図１にも示されるそれらの部分に用いられる。カセットベイは、破線４０により示される。カセットベイ４０は、熱印刷ヘッド１８及びプラテン８を含み、これらは協同して印刷域３を規定する。
【００９４】
印刷ヘッド１８は枢軸点の周りに枢動可能であり、これにより、印刷ヘッド１８は、印刷のためにプラテン８と接触状態となることができ、また、第１実施形態におけるようにカセットが取り外され交換され得るようにプラテン８から離れることができる。あるいは、プラテンは、印刷のために印刷ヘッドと接触状態にされ得、かつカセットが挿入可能となるように印刷ヘッドから離され得るように枢動可能である。カセットベイ４０内に挿入されたカセットは参照番号４４で全体的に示される。カセット４４は、画像受け取りテープ４の供給スプール４６を保持する。画像受け取りテープ４は、ガイド機構（図示せず）により、カセット４４を通り、印刷域３を過ぎ、カセット４４から出口Ｏを通って切断位置Ｃへと案内される。同じカセット４４はまた、インクリボン供給スプール４８とインクリボン巻き取りスプール５０を有する。インクリボン１２は、インクリボン供給スプール４８から印刷域３に案内され、インクリボン巻き取りスプール５０に巻き取られる。第１実施形態と同様に、画像受け取りテープ４は、インクリボン１２と重なって印刷域３を通り、その画像受け取り層がインクリボン１２と接触する。この第２実施形態のプラテンはまた、モータ７により駆動される。モータは回転し、印刷中、画像受け取りテープを、印刷域３を通るように連続的に駆動する。実施形態のいずれかにおいて、テープがステップモータにより段階的態様で駆動されることが可能である。
【００９５】
画像は、テープに印刷され、テープが印刷域から切断位置Ｃへと搬送される。切断位置Ｃは、印刷域３に近い、カセット４４の壁の一部の位置に設けられる。切断位置Ｃが規定されるカセット４４の壁の前記一部は参照番号５２で示される。壁部分５２にスロット５４が規定され、画像受け取りテープ４は、印刷域３を過ぎ、カセット４４から出口Ｏを通って切断位置Ｃへと搬送される。切断位置Ｃにおいてテープ４は、スロット５４のいずれかの側の対面壁部分によって支持される。
【００９６】
第２ラベル印刷装置１’は切断機構５６を含む。切断機構５６は、ブレード６０を保持するカッター支持部材５８を含む。ブレード６０は、画像受け取りテープ４を切断し、次いでスロット５４に入る。第１実施形態も、通常、切断機構を含むことが認識されるべきである。
【００９７】
これらの例のラベルプリンタ１及び１’は、スタンドアローン印刷装置として作動し得る。スタンドアローン印刷装置は、ユーザから入力を受信しかつ該印刷装置のディスプレイに表示されるものを変更するためのコントローラを含む。更に、ラベルプリンタ１及び１’は、代替的に又は付加的に、ＰＣに接続可能であるか又は接続される。この場合、該ＰＣも、ユーザから入力を受信し該プリンタの又は該ＰＣのディスプレイに表示されるものを変えるコントローラを含む。
【００９８】
図１のラベルプリンタ１又は図２のラベルプリンタ１’を制御するための基本回路構成が図３に示される。コントローラ又は「制御手段」(マイクロコントローラユニット（ＭＣＵ）又はプロセッサ等）６００と、例えば読み出し専用メモリ（ＲＯＭ）又はフラッシュ型のメモリである不揮発性メモリ６０２が存在する。フラッシュ型のメモリは、読み出し専用メモリに代えて又はそれに加えて使用され得る。ランダムアクセスメモリＲＡＭ６０４及び／又はディスプレイＲＡＭを含む揮発性メモリも設けられる。ＭＣＵ６００は、タッチパネルコントローラ６０６を介してタッチスクリーン６１２のタッチパネル６０８等のデータ入力装置からＭＣＵ６００に入力されたラベルデータを受信するために接続される。代替実施形態において、データ入力装置は、複数のキー、マウス、デジタルペン又はトラックボール、又は、ユーザがコントローラ６００にコマンドを送信することを可能にするための任意の他の手段を含む一つ又は複数のハードウェアキーボードを備え得る。所定の実施形態において、タッチスクリーン６１２は省かれる。ＭＣＵ６００は、ディスプレイ６１０（該ディスプレイはタッチパネル６０８と共にタッチスクリーン６１２を形成する）を駆動して、印刷されるラベル（又はその一部）及び／又はユーザに対するメッセージを表示させるためにデータを出力する。付加的に、ＭＣＵ６００はまた、ラベルデータがラベルを形成する画像受け取りテープ上に印刷されるように、データを出力して印刷ヘッド１８を駆動する。最後に、ＭＣＵ６００はまた、プラテンを駆動するためにモータ７を制御する。ＭＣＵ６００はまた、ある長さのテープが切断されることを可能にするため、図２の切断機構５６又は図１に示す装置の切断機構を制御し得る。代替実施形態において、切断機構の少なくとも一部は手動により操作され得る。
【００９９】
ラベルプリンタ１又は１’がＰＣ等の外部装置に接続される場合、印刷されるラベルを作り出す動作をＰＣに実行可能とするため、少なくとも一つのメモリ及び少なくとも一つのプロセッサ等、同様の構成要素を該ＰＣも含むことも理解されるべきである。そのようなＰＣはまた、モニター等のディスプレイ手段に接続される。ラベルプリンタは、タブレット又は携帯電話等の任意の他の適切な装置に接続され得ることが認識されるべきである。
【０１００】
以下、ラベルは、ラベル印刷装置自体又はラベルプリンタに接続されたＰＣ等の外部装置のいずれか又は両方において作り出され得ることが理解されるべきである。したがって、以下、「メモリ」、「プロセッサ」及び「ディスプレイ」等の用語は、ラベル印刷装置及びＰＣのいずれか又は両方におけるそれら構成要素のことを意味し得ることが理解される。
【０１０１】
ラベルプリンタは、例示目的のみのために示されることが認識されるべきである。他の実施形態において、インクリボンは省かれ得る。いくつかの実施形態において、プリンタは、例えば、熱印刷に対し異なる印刷技術、例えばインクジェット印刷等を使用し得る。所定の実施形態において、印刷ヘッドは固定されてもよく、他の実施形態において、プラテン及び印刷ヘッドは両方移動可能であり得る。
【０１０２】
ユーザ入力装置は、任意の適切なデバイスにより提供され得る。入力装置は、キーボード及び／又はタッチスクリーンによって提供され得る。
【０１０３】
図４は、所定の実施形態に従うユーザインターフェース４００を一般的に示す。ユーザインターフェース４００はＰＣのモニター、ラベル印刷装置のディスプレイ、又はラベルプリンタが接続されるデバイスに提示され得る。ユーザは、既知の手段によりユーザインターフェース４００の周りを移動することができる。例えば、ユーザは、マウス又はトラックボールを操作し得、また、アイコン上にマウスポインタを配置し、かつそのアイコンを選択するために該アイコン上でクリックすることにより、ユーザインターフェース４００における選択肢を選択することができる。しかしながら、例えばタッチスクリーンが使用される他の実施形態において、ユーザは、アイコンを選択しまた情報を入力するためにスクリーン又はディスプレイに直接タッチし得ることも認識されるべきである。ユーザはまた、ユーザインターフェースの周りを移動するためにＰＣに取り付けられるか又はラベルプリンタに直接取り付けられるハードウェアキーボード等を使用し得る。
【０１０４】
図４の実施形態において、ユーザは、ホームアイコン４０２をクリックしたら、ユーザには、今度、ホームスクリーン４０１が提供される。これは、ユーザに多くのラベルタイプを提供する。ラベルタイプは、それらのそれぞれのアイコンをクリックすることによって選択され得る。これらのラベルタイプは、一般ラベル４０４、ケーブルラップラベル４０６、１１０−ブロックラベル４０８、パッチパネルラベル４１０、水平ブレーカーラベル４１２、アセットトラッキングラベル４１４、熱収縮ラベル４１６、アークフラッシュラベル４１８、クイックラベル４２０、フラグラベル４２２、分散パネルラベル４２４、ターミナルブロックラベル４２６、垂直ブレーカーラベル４２８、パイプマーキングラベル４３０、セルフラミネーティングケーブルラップラベル４３２、及び知る権利ラベル４３４を含む。更なるラベルタイプが、ホームスクリーン４０１に代替的に又は付加的に表示され得ることが認識されるべきである。他のラベルタイプの例は、安全ラベル及び材料管理ラベルを含み得る。
【０１０５】
ディスプレイは一つ又は複数のラベルタイプを表示し得ることが理解されるべきである。それらのラベルタイプは、前述したラベルタイプの一つ又は複数、及び／又は一つ又は複数の他のラベルタイプを含み得る。
【０１０６】
熱収縮ラベル４１６、アークフラッシュラベル４１８、セルフラミネーティングケーブルラップラベル４３２、知る権利ラベル４３４それぞれは、それらのアイコン近傍の感嘆符と共に表示される。これは、ユーザに、与えられたコンテキストにおいてそれらのラベルタイプが利用できないことを知らせる。例えば、それらのラベルタイプを、選択されたタイプのラベル材料上に印刷することは可能ではないかもしれない。該選択されたタイプのラベル材料は、ユーザインターフェース４００の部分４３６に示される。
【０１０７】
ラベルタイプは、ある選択されたラベル材料及び／又は特性及び／又はサイズに対し利用可能なラベルタイプが共に表示されるように表示され得ることが認識されるべきである。ラベルタイプは、ある選択されたラベル材料及び／又は特性及び／又はサイズに対し利用不能なラベルタイプが共に表示されるように表示され得ることが理解されるべきである。図１に示す例において、利用可能なラベルタイプは、見られるはずの第１領域と考えらえるディスプレイの領域、又は、最も関連があるかもしくは重要な情報を含むと考えられる領域に表示され得る。あるリストの場合、これは該リストの上部にあり得る。左右アルファベットが使用される場合、利用可能な選択肢はスクリーンの左側に表示され得る。
【０１０８】
ラベルオプションのタイプは、ユーザが「新ラベル（Ｎｅｗ  ｌａｂｅｌ）」アイコン４３８をクリックした際にユーザに提示される。図４の実施形態において、「新ラベル」スクリーンはまた、ホームスクリーンを兼ねる。
【０１０９】
他の選択肢も、ユーザインターフェース４００を介してユーザに利用可能である。これらは、「ラベルを開く」アイコン４３９を含む。このアイコンをクリックすることにより、ユーザは事前に保存したラベルを開くことができる。「ファイル管理」アイコン４４０をクリックすることにより、ユーザは、例えばファイルの名称変更及びファイルのラベルプリンタへの及びそこからの移動等、ユーザがそれらの保存されたファイルを管理することができる更なるインターフェースに入る。ユーザはまた、ユーザインターフェースの設定を変更するためにアイコン４４２を介して設定メニューにアクセスすることができる。例えば、ユーザは、言語設定、及び帝国単位又はメートル法を使うか否かを変更することができる。
【０１１０】
アイコン４４４をクリックすることにより、ユーザには、ラベルプリンタのドロップダウンリストが提示される。選択されたラベルプリンタのタイプは、例えば、ユーザに利用可能であるラベルのタイプ、及び／又は利用可能なフォーマット選択肢を決定し得る。
【０１１１】
アイコン４４６は「クイック印刷」アイコンであり、これは、アイコン４４６をクリックすることにより、ユーザが現在表示されているラベルを迅速に印刷することを可能にする。
【０１１２】
ユーザが既にラベルを準備する工程にあり、かつ何らかの理由でラベル編集スクリーンを出た場合、ユーザは、「継続編集」アイコン４４８をクリックすることにより、そのラベルの編集に迅速に戻ることができる。
【０１１３】
図５は、パッチパネルラベルの作成に関連するユーザインターフェース５００を示す。この画面は、パッチパネルアイコン４１０（図４参照）を選択することによって到達されたものであることができる。このパッチパネルユーザインターフェース５００は、３つの一般的な領域を含む：オプション又はツールバー領域５０２；ラベルプレビュー領域５０４；データ入力領域５０６。
【０１１４】
ツールバー領域５０２において、ユーザは、ラベル及び／又はラベルが適用される対象の態様を変更することができる。図５の実施形態では、ユーザは、パッチパネルラベルを準備するため、オプションは、パッチパネル及び／又は関連のラベルに関する。例えば、５０８に示すように、ユーザは、パッチパネルのポート数を変更することができる。この例では、ポートの数は１２に設定されている。この数は、任意の既知の方法でユーザが調節できる。例えば、ユーザが「ポート数」オプション５０８にマウスポインタを置いた場合に、上下の矢印が表示されることがあり、これは、ユーザがポート数を増加及び減少させることを可能にする。領域５１０において、ユーザは、パッチパネルのポート間の中心間距離を調節することができる。５１２に示すように、ユーザは、グループ当たりのポート数を調節することができる。この例では、ユーザは、グループ当たり６個のポートを選択している。５１４に示すように、ユーザは、グループクリアランス、すなわちポートのグループ間の距離を調節するための選択肢も提示される。この例では、ユーザは、グループクリアランスを４分の１インチに設定している。５１６に示すように、ユーザには、ラベル設定を調節するための選択肢がある。これは、ユーザに、別個のラベルと連続ラベルとの間でユーザが選択するのを可能にするドロップダウンメニューを提供する。「ｓｅｐａｒａｔｅ（別個）」ラベルでは、パッチパネルグループごとに別個のラベルが存在する。「ｃｏｎｔｉｎｕｏｕｓ（連続）」ラベルでは、パッチパネルグループの全てをカバーするように単一のラベルが提供される。この例では、ユーザは、各パッチパネルグループに対して別個（ｓｅｐａｒａｔｅ）のラベルを選択している。
【０１１５】
ラベルプレビュー領域５０４は、印刷されるラベル５１８の画像及び対象５２０の画像を表示する。この場合、対象はパッチパネル５２０である。パッチパネル５２０のプロパティは、ツールバー５０２に入力されたプロパティと一致する。例えば、パッチパネルは１２個のポートを備え、各グループには６個のポートがある。
【０１１６】
以下、パッチパネル５２０の画像は、パッチパネルの寸法を表す追加画像である。この追加画像は、双頭矢印５２２及び双頭矢印５２４を含む。矢印５２２は、パッチパネル５２０のポートの第１グループの長さを示す。パッチパネル５２０は、ポート５２１の第１グループ及びポート５２３の第２グループを含む。矢印５２２は、ポート５２１の第１グループの長さを表す。この長さの値は、５２６のラベルに隣接して示されている。この例では、ポートの第１グループの全体の長さは３インチと５／８インチであると表示されている。ポートグループ５２１及び５２３の間の距離は、５２８で、すなわち、隣接する矢印５２４で表示される。この例では、グループ間の距離は４分の１インチであり、これは５１４で設定されるグループクリアランスと一致する。パッチパネルの寸法を示すための手段は、他の形態を取ることができ、しかも矢印の使用は単なる一例に過ぎないことが分かるであろう。例えば、矢なしのバーやラインを使用することができる。また、矢印又は他の手段を、対象５２０又はラベル５１８の任意の寸法を表す又は示すために使用できることが分かるであろう。例えば、寸法は、長さ、幅、深さ、隅角寸法などとすることができる。
【０１１７】
図５の実施形態では、矢印は、その端部に垂直線５３０、５３２及び５３４を含む。これは、矢印が示す寸法の端を明らかに画定する。
【０１１８】
データ入力領域５０６は、ユーザがデータグリッド５３６に情報を入力することを可能にする。データグリッド５３６のデータは、ラベル５１８に自動的にマッピングされ、又はラベル５１８にドラッグ及びドロップできる。あるいは、ユーザは、ラベル５１８をクリックし、続いて必要なデータを入力することにより、ラベル５１８にデータを直接入力することができる。
【０１１９】
ユーザは、図６に示すようにラベル５１８及び／又は対象５２０のパラメータを変更することができる。前述のように、パラメータを変更する一つの方法は、ツールバー領域５０２にある。また、ユーザは、ラベル５１８及び／又は対象５２０の寸法を、矢印５２２及び５２４の長さを変化させることにより変更することができる。例えば、矢印５２２を短くすると、それに応じて第１ポートグループ５２１の長さが短縮される。同様に、矢印５２２を長くすると、それに応じて第１ポートグループ５２１が延長される。
【０１２０】
一実施形態では、矢印５２２は、例えばマウスポインタで矢印付きの端を「掴み」、その後矢印の端を所望の新しい長さに達するまでドラッグ及びドロップすることによって延長及び／又は短縮できる。図６の例では、ユーザは、矢印５２２の長さを延ばしているが、これに応じて、第１ポートグループ５２１の長さが延ばされている。この例では、ユーザは、任意の他の方法で右端の矢印をクリックし又は選択し、その後矢印を所望の長さにドラッグすることによって矢印５２２の右端を選択し又は「掴んで」いる。５２６に示すように、長さは、図５に示すように３と５／８インチの長さから４と３／４インチに延びている。いくつかの実施形態では、５２６で矢印に隣接して表示される長さは、矢印の長さが変更されると同時に（つまりリアルタイムで）更新される。これにより、ユーザは、ドラッグ操作中に長さの変化を簡単に見ることができる。また、パッチパネルグループ５２１及び５２３の全体の長さを増加させることで、ポート間の中心間距離も増加する。これは５１０で示されており、中心間距離は、図５における３９／６４インチから図６に示すように５１／６４インチに増加している。また、ツールバー５０２におけるこの値５１０も、矢印５２２の長さを変更する動作中に同時に更新することができる。「同時」とは、その値が、リアルタイムに又は変更する矢印の長さと同時に変化することを意味する。
【０１２１】
矢印の長さを変更する「ドラッグアンドドロップ」操作は、多くの方法で実施できることを理解すべきである。例えば、ユーザは、矢印の長さを変更している間にマウスボタンを押したままにすることができる。別の実施形態では、ユーザは、一度マウスボタンをクリックして操作を開始し、続いて再びマウスボタンをクリックして操作を終了することができる。タッチスクリーンを使用する場合には、ユーザは、自分の指で矢印の端を選択し、その後画面上で指をドラッグして矢印の長さを変更し、或いは画面を異なる位置でタッチして矢印の端のための新たな位置を選択することができる。
【０１２２】
また、ユーザは、同様にポートグループ５２１と５２３との間の距離を変更することもできる。図７に示すように、矢印５２４を延長しているが、これに応じてポートグループ５２１と５２３との間も延長している。矢印は、上記のように矢印５２２と同一又は類似の態様で延長できる場合がある。値５２８は、図６に示すように４分の１インチから図７に示すように１インチまでグループクリアランスの増加を示すように更新されている。繰り返すが、表示される値は、矢印を延長したときにリアルタイムに又は「同時に」変更できる。また、ツールバー５０２における値５１４は、１インチまでのグループクリアランスの増加を反映するように更新されている。ツールバーにおけるこの値は、矢印５２４が延長されたときに、リアルタイムで変化することもできる。
【０１２３】
また、ツールバー領域５０２の値を調整すると、それに応じてプレビュー領域５０４における値をリアルタイムで調節することになる場合もあることが理解されるであろう。さらに、矢印５２２及び５２４の長さの調節により、ラベル５１８の画像及び対象５２１の画像のリアルタイム調節が得られるが、表示された値のリアルタイム調節は得られない場合がある。
【０１２４】
もちろん、この原理を他のラベルのタイプに拡張することができ、パッチパネルラベルに限定されないことが分かるであろう。図８及び９は、「一般的なラベル」の調節を示す。一般的なラベルは、まず、ユーザインターフェース４００上で一般的なラベルアイコン４０４をクリック又は選択することによって準備できる。次に、ユーザに、例えば図８に示すようにユーザインターフェース画面１６００が提示される。ユーザインターフェース１６００は、ツールバー領域１６０２、ラベルプレビュー領域１６０４及びデータ入力エリア１６０６を含む。
【０１２５】
ツールバー領域１６０２は、多数の選択肢をユーザに提供する。これらは、ユーザがポートレートモードとランドスケープモードと間でラベルの向きを切り替えることを可能することを含む。１６０８に示すように、この例では、ユーザは、ランドスケープモードを選択している。１６１０に示すように、ユーザは、「ステッパー」１６１１を使用してラベルの長さを変更するために、ツールバーを使用することができる。オプションボックス１６１２において、ユーザは、ラベルのいくつかのレイアウトオプション、例えばラベルに境界を与えるかどうか及びトレーラー及びリーダーの長さを一致させるかどうかなどを変更することができる。ユーザは、新たなデフォルト設定として現在の設定を保存するために「デフォルトとして設定」オプション１６１４をクリックすることができる。
【０１２６】
ラベルのプレビューは、ラベルのプレビュー領域１６０４において１６１８で示されている。１６２２には、ラベル１６１８に隣接して矢印が示されており、この矢印１６２２は、ラベル１６１８の長さを示す。ラベル１６１８の長さの数値が１６２６で示されている。図８の例では、ラベルの長さは２インチである。これは、ツールバー１６０２において１６１０で示されるラベルの長さと一致する。
【０１２７】
矢印１６２２の長さ、それに応じてラベル１６１８の長さを、図５〜７に関して説明したのと同一又は類似の方法で矢印１６２２の長さを調節することによって長くし又は短くすることができる。すなわち、ユーザは、矢印１６２２の端を選択し、そして新たな長さを設定するように新たな位置に移動させることができる。図９では、ユーザは、矢印１６２２の長さ、したがってラベル１６１８の長さを図８に示すように２インチから図９に示すように３インチに増加させている。ラベル１６１８の画像は、矢印６２２の長さを調節するときにリアルタイムで又は「同時に」に更新できる。また、１６１０で示されるラベルの長さもリアルタイムで更新される。また、ラベルの長さがユーザによりオプションボックス１６１０で変更された場合には、ラベル１６１８の画像及び矢印１６２２の画像をラベルプレビュー領域１６０４内においてリアルタイムで又は「同時に」に更新されることが分かるであろう。
【０１２８】
図５〜９において、矢印の延長及びそれに応じた対象又はラベルの関連する画像の延長を議論していることが分かるであろう。もちろん、同じ原理を矢印画像の短縮と、ラベル及び／又は対象画像の関連する短縮とにも適用できることが分かるであろう。
【０１２９】
いくつかの実施形態は、ユーザの利便性を高めることができる。というのは、ユーザは、ラベル又は対象変更手順においていつでも、変更されている寸法の現在の長さを見ることができるからである。リアルタイムでのアップデートを提供することはユーザにとって有用である。というのは、これは、一段階処理で調節を行うことを可能にするからである。さらに、変更されるラベル又は対象に隣接して矢印（又は他の好適な画像）を提供することにより、ラベル又は対象自体の画像を選択して変更を実行する必要がなくなる。これは、ユーザがポインタ等での変更手順の間にラベル又は対象の画像を不明瞭にする必要がないことを意味する。これは、ユーザ経験を向上させる。というのは、これはラベル及び／又は対象の視野を改善するからである。
【０１３０】
パッチパネルラベルを作成するための方法を図５〜７に関連して説明しており、一般的なラベルを作成するための方法を図８及び９に関して説明している。これらの例の各々において、ユーザに利用可能な選択肢（例えば、ラベル及び／又は対象パラメータ）は、例えばツールバー領域５０２及び１６０２において同時にユーザインターフェース上に表示される。ユーザは、ツールバーで利用可能な選択肢を望みの順序で調節することができる。
【０１３１】
図１０〜１３は、パッチパネルラベルの別の作成方法を示している。しかしながら、これは単なる例示であり、これらの原理を任意の他のラベルタイプ、例えば図４に示されるラベルのタイプの作成に適用できることに留意すべきである。図１０〜１３は、リニアステップ・バイ・ステップ方式でのパッチパネルラベル作成処理にユーザを導くために使用される一連の画面を示している。つまり、図１０〜１３は、ラベル作成「ウィザード」を示す。
【０１３２】
図１０は、ラベル作成ウィザードの第１画面７００を示す。画面上部にあるバー７０２は、ユーザに、これらがパッチパネルモードになっていることを表示する。第２バー７０４は、ユーザに、入力を必要とする情報、この場合には「ポート番号を設定（Ｓｅｔ  ｐｏｒｔ  ｎｕｍｂｅｒｓ）」を表示する。いくつかの実施形態では、デフォルト値が提供され、その後、ユーザがこれを調節することができる。編集領域７０６において、ユーザは、必要な情報を入力することができる。この場合、ボックス７０８において、ユーザは、行あたりのポート数を入力することができる。この場合、ユーザは、２４を選択している。ボックス７１０において、ユーザは、いくつのポートが各グループに含まれるべきかを指定することができるが、この場合には、ユーザは、６の値を設定している。入力された情報によるパッチパネルのプレビューが７１２で示されている。
【０１３３】
７１４には、ユーザにラベル作成処理がどの程度かかるかを示すためのインジケータが設けられている。図１０には、７１４に強調した円でユーザが３のうちステップ１の状態であることが示されている。また、この情報は、ディスプレイの領域７１６にも表示される。
【０１３４】
ユーザの手の画像が７１８に表示されている。いくつかの実施形態では、これは、ユーザインターフェース上の実際のアイコンであり、ユーザは、これをマウス若しくはトラッカーパッド又は他の同様の手段によって移動させることができる。しかし、この例の目的のために、「ウィザード」がタッチスクリーン上に表示されており、手７１８の画像は、ユーザの手（若しくはスタイラス又は他の手段）の例示であり、実際には画面には表示されない。矢印７２０は、ユーザの手の動きの方向を示しており、実際にはウィザード画面には表示されない。さらなる図面に関連して説明するように、ユーザは、タッチスクリーンに触れ、そして手の位置をタッチスクリーン上で移動させることによってウィザード画面を移動することができる。図１０には、ユーザが位置７２２で最初に画面に触れていると考えることができる。    
【０１３５】
図１１に示すように、次のステップでは、ユーザは、位置７２２から位置７２４にその指をドラッグする。画面上でユーザの指を右から左に移動させるこの動作は、それに応じて画面に表示される情報を右から左に移動させる。すなわち、図１０に示されたボックス７０８は、現在、もはや画面７００上には表示されない程度にまで左に移動しており、領域７２６に示すように、画面の右端には、ウィザードの次のステップが画面７００に表示され始めている。
【０１３６】
図１２に示すように、ユーザは、指を右から左に第３位置７２８まで移動させ続け、そしてラベル作成ウィザードの次のステップのより大きな割合が領域７２６に見えるようになる。
【０１３７】
図１３に示すように、その後、ユーザは、タッチスクリーンから指を離し、ウィザードが次のステップに進んでいる。その際、インジケータ７１４及び７１６は、ユーザがラベル作成ウィザードの３のうちステップ２にあることを示す。現在、領域７０４は、ユーザがラベル設定を定義する必要があることを示す。例えば、ユーザは、全てポートについて１個のラベル又はポートの異なるグループについて別個のラベルを選択することができる。
【０１３８】
また、ユーザは、「前へ（ｐｒｅｖｉｏｕｓ）」及び「次へ（ｎｅｘｔ）」ボタン７２８及び７３０を使用してウィザード画面を移動させることができる。
【０１３９】
図１０〜１３は、ユーザが画面上で指を右から左にドラッグし又は「スワイプする」ことによって後のウィザード画面に進んでいるが、もちろん、ユーザは、逆の操作、すなわち、左から右にスワイプすることによって前の画面に戻ることができることが分かるであろう。また、これらの方向も変更することができる。例えば、ユーザは、左から右にスワイプして後の画面に移動し、右から左にスワイプして前の画面に戻ることができる。また、スクリーン上でのユーザの指又はスタイラスの垂直の動きを使用して画面間を移動することもできる。
【０１４０】
説明した実施形態では、ユーザは、第１位置で画面をタッチして、その後画面との接触を維持しながら指を第２位置まで移動させてウィザード画面間で進める又は戻る。別の実施形態では、ユーザは、画面との接触を維持する必要がない。すなわち、ユーザは、ウィザードステップ間で移動するように、単に第１位置で画面をタッチし、その後第２位置で画面をタッチするだけでよい（これらの２つの位置間で画像との接触を維持することなく）。いくつかの実施形態では、次又は前のウィザード画面は、ユーザが画面をタッチするのをやめるまで表示されない。
【０１４１】
また、図１０〜１３に関して説明した原理は、他のタイプの画面間での移動にも適用できるが、ラベル作成ウィザードには限定されない。
【０１４２】
説明した実施形態は、ユーザがユーザーフレンドリーでかつ直感的な方法で画面間を移動させるのを可能にする。これにより、ラベル作成処理を高速化することができる。
【０１４３】
いくつかの実施形態では、ユーザが画面を離したとき又は選択を解除したときに、ユーザインターフェースが更新して１つのフルウィザード画面を表示する。ユーザインターフェースが２つのウィザード画面の部分的な量を示し、かつ、ユーザが接触を解除した場合には、その後に表示される画面は、ユーザが画面から接触を解除した時点で表示されている各画面の割合に依存し得る。例えば、図１１において、ユーザが画面を離した場合には、ユーザインターフェースは、図１０に示すものに戻すことになるであろう。というのは、後の画面が少ししか領域７２６には示されないからである。同様に、ユーザが図１２で画面を離した場合には、ユーザインターフェースは進んでウィザードの第２ステップを表示する。というのは、ユーザが画面から接触を解除した時点でその画面の大部分が表示されていたからである。
【０１４４】
また、いくつかの実施形態は、図１４〜１８に示すように、ラベル及び／又はエラー間で移動するための改良方法を提供することもできる。例えば、図１４は、ラベルを作成するためのユーザインターフェース８００を示している。このユーザインターフェースは、現在の処理に関するユーザ情報を与える情報領域８０２を含む。例えば、図１４における情報領域は、ユーザが現在ラベルをナビゲートする処理中であることを示す。情報領域８０２の領域８０８において、ユーザは、一連のラベルうちどのラベルを現在表示しているのかに関する情報が与えられる。図１４の例では、ユーザは、一連の５個のラベルのうち最初のラベルを準備しているという情報が与えられている。
【０１４５】
ラベルプレビュー領域８０４は、印刷されるラベル８１０のプレビューを与える。この場合には、ユーザはパッチパネルラベルを作成しているので、パッチパネル８１２のプレビューも提供される。
【０１４６】
ユーザインターフェースの下部にあるオプション領域８０６において、ユーザは、選択肢の中から選択することができる。図１４の例では、ユーザは、「ラジオ」ボタン８１４及び８１６を使用して、それぞれラベルとエラーとの間で移動することができる。この例では、ユーザは、現在、ラベル間で移動することを選択している。それによって、ラベルナビゲータ「ポップアップ」又はツール８１８がユーザインターフェース８００上に表示される。ラベルナビゲータツール８１８は、ラベルが見え、かつ、対象がまだ部分的にしか見えないように、ラベル及び対象を並んで示すラベルのプレビュー領域を重ねる。人間の心は、ラベルのプレビュー領域を見ることで、ラベルのプレビュー領域を、重なるウィンドウが存在しないかのように解釈するであろう。したがって、説明した方法で情報を提供することによって、より多くの情報を限られたディスプレイサイズでユーザに提供することができる。
【０１４７】
ラベルナビゲータツール８１８は、現在どのラベルを見ているのか（この場合ラベル番号１）をユーザに知らせる第１領域８２０を含む。また、数値ステッパー８２２も提供される。数値ステッパー８２２は、マイナス（−）ボタン８２４及びプラス（＋）ボタン８２６を備える。ユーザは、マイナスアイコン８２４又はプラスアイコン８２６のいずれかを選択することで、数値ステッパー８２２を使用してラベルを移動させることができる。図１５に示すように、ユーザは、プラスアイコン８２６を選択しており、それに応じて、領域８２０及び領域８０８におけるラベル番号が更新されて、現在表示されているラベルが一連の５個のうち２番目のラベルであるラベル８１１であることを示している。
【０１４８】
また、この概念は、ユーザへの「エラー（ｅｒｒｏｒｓ）」表示に拡張することもできる。エラーは、ラベル作成処理の間にユーザによって誤って作成される場合があり、これらのエラーは、ラベル作成プログラムによって検出できる。図１６に示すように、ユーザは、「エラー（ｅｒｒｏｒｓ）」ラジオボタン８１６を選択している。これに応じて、ポップアップ又はエラーナビゲーションツール８２８がユーザインターフェース上に表示される。このエラーナビゲーションツール８２８は、どのエラー番号を見ているのかをユーザに表示する第１領域８３０を含む。この例では、ユーザは、エラー番号１を見ている。また、エラーナビゲーションツール８２８は、ユーザがエラーを移動させることを可能にするマイナスアイコン８３４及びプラスアイコン８３６を備える数値ステッパー８３２含む。
【０１４９】
第１のエラーが第１ラベルに存在する。それに応じて、ディスプレイの領域８０８は、エラーが一連の５個のラベルのうち第１ラベルにあることをユーザに知らせる。エラーは、ラベル８１０の領域８３８に存在する。領域８３８は、ボックス８４０と、ラベル８１０のどこにエラーが存在するのかを明確に表示するための感嘆符を含む警告サイン８４２とによって強調表示される。もちろん、エラーを示す他の方法、例えば異なる色、濃淡、点滅背景の使用などを使用してもよいことが分かるであろう。また、警告サイン８４６もディスプレイの領域８４４に存在する。しかし、これは、現在選択されているエラーではないので、領域８３８のようにボックスにより強調表示されない。
【０１５０】
図１７では、ユーザは、２番目のエラーを表示するためにカウンタを進めるプラスアイコン８３６を選択している。これに応じて、領域８４４は、これが２番目のエラーの場所であることを示すためにボックスで強調表示される。領域８０８によって示されるように、このエラーは第１ラベル内にも含まれる。
【０１５１】
図１８において、ユーザは、３番目のエラーに移動するように、再びプラスアイコン８３６を選択している。このエラーは、第２ラベル８４８の領域８５０に存在する。それに応じて、この領域は、ボックス８５２で強調表示され、感嘆符８５４の形で警告を表示する。
【０１５２】
エラーが第２ラベル８４８に存在するので、領域８０８はこれを示すために更新されている。ユーザが全てのエラーに対処したら、ユーザは「完了（ｄｏｎｅ）」ボタン８５６をクリックすることができる。
【０１５３】
いくつかの実施形態で提供される別の機能は、図１９及び図２０に示すように、メニュー「ポップアップ」又は「オーバーレイ」である。図１９は、ラベル作成処理のためのユーザインターフェース９００を示す。ユーザインターフェース９００は、情報領域９０２と、ラベルプレビュー領域９０４と、オプション領域又はツールバー９０６とを備える。情報領域９０２は、パッチパネルモード中であることをユーザに知らせる。ラベルプレビュー領域９０４は、ラベル９０８のプレビューを含む。また、情報領域９０２は、ラベルプリンタがＰＣに接続されていることをシンボル９１０でユーザに知らせ、シンボル９１２は、ラベルプリンタの現在のバッテリー充電レベルを示す。
【０１５４】
ツールバー領域９０６は、ユーザが前の操作を元に戻すことを可能にする「元に戻す」機能９１４とユーザが前に元に戻された操作をやり直すことを可能にする「やり直し」機能９１６とを備える。虫眼鏡アイコン９１８は、ユーザがラベルプレビューのズームイン及びズームアウトをすることを可能にする。最大化機能９２０は、ユーザがディスプレイを満たすようにユーザインターフェースを最大化することを可能にする。
【０１５５】
また、ツールバー９０６は、選択可能なアイコン９２２、９２４、９２６及び９２８を含む。
【０１５６】
アイコン９２２は、ユーザが、作成されるラベルのプロパティを変更することを可能にする「プロパティ（ｐｒｏｐｅｒｔｉｅｓ）」アイコンである。アイコン９２４は、ユーザに、ラベルに挿入できる選択肢をユーザに提供する「挿入」アイコンである。アイコン９２６は、シリアル化機能をユーザに提供し、アイコン９２８は、ユーザが複数のラベル間を移動するのを可能にするための選択肢をユーザに提供する。
【０１５７】
図１９において、ユーザは、アイコン９２２を選択して、ポップアップし、かつ、ラベル画像９０８と部分的に重なる「プロパティ（ｐｒｏｐｅｒｔｉｅｓ）」メニュー９３０を表示させている。この場合、ユーザは、パッチパネルラベルを作成しているため、ユーザに利用可能なプロパティはパッチパネルラベルに関連するもの、例えばポート番号、ラベル設定（グループあたりのラベル数）、パッチパネルの寸法及び区切り線を表示するかどうかである。プロパティメニュー９３０は、「×」の形の「閉じる」ボタン９３２とメニュー９３０がそのアイコンに関連することを表示するためにプロパティアイコン９２２を指すインジケータ（この場合は矢印９３４）とを含む。
【０１５８】
図２０において、ユーザは、情報領域９０２に示されるように、一般的なラベルモードにある。図２０において、ユーザは、新たな「挿入（ｉｎｓｅｒｔ）」メニュー９３６を開くアイコン９２４を選択している。また、挿入メニュー９３６は、ラベル画像９０８’を部分的に重ねる。挿入メニューは、テキスト９３８、バーコード９４０、画像９４２又は形状９４４といった、ラベルに挿入できる項目に関連するユーザオプションを与える。画像９４２及び形状９４４のオプションは、それぞれ、それに関連する矢印９４６及び９４８を含む。ユーザがこれらの矢印９４６又は９４８のいずれかを選択した場合には、さらなるオプションメニューがメニュー９３６の右側に表示され、再びラベルプレビュー９０８’に重なる又は部分的に重なる。このさらなるオプションメニューは、例えば、ラベルに挿入できる画像又は形状の選択を提供する。ここで、矢印９３４’は、表示されたメニュー９３６がこのアイコンに関連していることを表示するために、「挿入」アイコン９２４を指している。
【０１５９】
一実施形態においてケーブルラップモードのために表示されるユーザインターフェースを示す図２１ａ及びｂに言及する。ケーブルラップモードでは、ユーザは、特定のケーブルタイプを選択する選択肢を有することができる。図２１ａに示す例では、ユーザは、符号１００ａとしてケーブルタイプＣＡＴ５／６を選択している。図２１ｂでは、ユーザは、符号１００ｂとしてケーブルタイプのＡＷＧ：４／０−を２／０選択している。ケーブルのタイプは、与えられた２つの例に加えて又はその代わりに、任意の好適なケーブルタイプであることができることを理解すべきである。
【０１６０】
図２１ａの第１ケーブルタイプは６ｍｍのケーブル直径を有する一方、図２１ｂで選択されたタイプのケーブルの直径は１１．６４ｍｍのケーブル直径を有する。図から分かるように、図２１ａに示したケーブル１０２ａの画像は、図２１ｂに示すケーブル１０２ｂの画像よりも相応に小さい。図２１ａのケーブルのためのラベル１０４ａのサイズは、図２１ｂのケーブルのための対応するラベル１０４ｂよりも短い。ケーブルの寸法は、図２１ａでは矢印１０６ａで、図２１ｂでは矢印１０６ｂで示されている。これらの矢印は、ケーブルの画像に隣接して設けられている。これらは、表示されているケーブルの画像の寸法を示している。
【０１６１】
これは、対象（この場合にはケーブル）の変更により、表示される対象の画像が変更され、またラベル自体の特性も変更される場合があることをユーザが見ることを可能にする。
【０１６２】
パイプマーキングオプションの例を示す図２２ａ及び２２ｂに言及する。
【０１６３】
図２２ａは、符号１１０ａで示される基準ＡＳＭＥ  Ａ１３．１  ０４に従うパイプマーキング用のラベル設定の第１例を示している一方、図２２ｂは、この例では符号１１０ｂで示されるＡＳＭＥ  Ａ１３．１  ０２である別のラベル設定を示している。これら２つの例におけるパイプの画像がユーザインターフェースに表示され、それぞれ図２２ａでは符号１１２ａ及び図２２ｂでは符号１１２ｂで示されている。
【０１６４】
図２２ａにおいて、パイプの周りに巻き付けられたラベル１１４ａが示されている。パイプの直径は、パイプ１１２ａの画像に隣接して１１６ａで示されている。ラベルの幅は、パイプ１１２ａ上のラベル１１４ａの画像に隣接して１１８ａで示されている。
【０１６５】
図２２ｂにおいて、パイプ１１６ｂの長さに沿って延びるラベル１１４ｂが示されている。画像は、パイプ上のラベルを示す。ラベルの長さは１１８ｂで示され、パイプ上のラベル１１４ｂの画像に隣接している。また、パイプの直径がパイプに隣接して示されており、１１６ｂで示されている。
【０１６６】
これは、ユーザが、ラベル設定の変更がラベル自体の変更をもたらすことを見ることを可能にし、これは、表示された画像に反映される。
【０１６７】
パッチパネルモードに言及する。図２３ａに示すようなパッチパネルモードでは、ユーザは、テンプレートメニュー１２０からテンプレートオプションを選択することができる。図から分かるように、多数の異なる所定のテンプレートをユーザが選択するために利用可能である。これらは、基準物、様々なプロダクトを反映することができ、ユーザによって設定でき及び／又はデフォルトのオプションであることができる。
【０１６８】
図２３ｂにおいて、ユーザは、最初のテンプレートを選択しており、図２３ｃにおいて、ユーザは、２番目のテンプレートを選択している。最初のテンプレートの選択は、ラベル１２４ａの画像がそれに隣接するパッチパネルに適用されたパッチパネル１２２ａの画像を示す図２３ｂに示されている。パッチパネルの寸法は、パッチパネルに隣接して表示されており、１２６ａで示されている。インターフェースの上部には、様々なオプションが表示される。この例では、次の選択肢が示されている：ポート１２７の数；ポート１２８の中心間距離；各グループ１２９におけるポート数；グループ１３０間の距離。各選択肢について、現在選択されている値が表示される。図２３ｂに示す例では、ポートの数は１６であり、中心間距離は２６．４６ｍｍであり、各グループは１６個のポートを有し、グループクリアランスは６．３５ｍｍである。
【０１６９】
これに対し、図２３ｃに表示されるテンプレートは、２４個のポートを有し、中心間距離は１６．２３ｍｍであり、グループに配置されるポートは８個であり、グループクリアランスは６．３５ｍｍである。図から分かるように、パッチパネル及びそれに適用されるラベルの画像は、このパッチパネル構成を反映して、図２３ｂに示されたものとは異なっている。示された画像は、現在選択されている選択肢の値を反映している。
【０１７０】
図２３ｃに示す構成では、ポートのグループの長さは、ポートに隣接する寸法で示され、１２６ｂで示されている。ポートの２つの隣接するグループ間の距離は、ユーザインターフェースにおいて、両グループ間の間隔の下に表示され、１２６ｃとして示されている。
【０１７１】
これは、ユーザが、テンプレートの変更により、対象（パッチパネル）の表示される画像が変更され、またラベルの特性も変更される場合があることを見ることを可能にする。
【０１７２】
垂直ブレーカの一例を示す図２４ａに言及する。説明する例は、水平ブレーカにも同様に適用可能であることを理解すべきである。図２４ａに示された例では、第１ブレーカのポール数が１になるように選択されている一方で、図２４ｂでは、第１ブレーカのために選択されたポール数は３であることが示されている。
【０１７３】
図２４ａにおいて、メニュー１４０ａが表示されており、これは第１ブレーカのために選択されたポール数、この例では１を示している。したがって、ブレーカの画像１４６ａは、単一のポールを有するものとして第１ブレーカを示している。ラベルの画像１４２ａが垂直ブレーカの画像に隣接して表示されている。寸法情報１４４ａがラベルの画像に隣接して表示されている。
【０１７４】
図２４ｂにおいて、メニュー１４０ｂは、第１ブレーカが３個のポールを有することを示している。これに応じて、ブレーカの画像１４６ｂは、第１ブレーカが３個のポールを有することを示す。それに応じて、ラベル１４２ｂの画像は、３ポールブレーカに隣接する単一のフィールドを示すように調節されている。寸法情報１４４ｂが再び表示される。
【０１７５】
パッチパネル用のラベル設定メニュー１５０を示す図２５ａに言及する。このラベル設定メニューは、ユーザに、全てのポートのための１個のラベル又はグループごとに１個のラベルを有するというオプションを提供する。図２５ａは、１個のラベルが全てのポートのために選択されるオプションを示しているのに対し、図２５ｂは、各グループについて１個のラベルというオプションの選択を示す。図から分かるように、図２５ａ及び２５ｂにそれぞれ示されたラベルの画像は、ユーザが選択したオプションを反映する。通常通り、パッチパネルの画像も表示される。
【０１７６】
ユーザに表示することができる情報メッセージのいくつかの例を示す図２６ａ、２６ｂ及び２６ｃに言及する。パイプマーキングの文脈における図２６ａ〜ｃは単なる例示にすぎない。図２６ａに示す例では、ユーザは、ラベルオプションＡＳＭＥ  Ａ１３．１  ０２を選択している。１２ｍｍのラベルについてＡＳＭＥ  Ａ１３．１規格に準拠するためには、３６の最小フォントサイズを選択すべきことを示す第１情報ウィンドウ１６０が示されている。
【０１７７】
図２６ｂに示す例では、パイプの直径が増大しており、それに応じて、パイプの画像１６２ｂも図２６ａの画像１６２ａと比較して増大している。ユーザに表示される第１情報ウィンドウ１６４は、ＡＳＭＥ  Ａ１３．１規格の１２ｍｍラベルに準拠するためには、７０の最小フォントサイズを選択すべきであることを示している。ｍｍラベルについてＡＳＭＥ  Ａ１３．１規格に準拠するためには、３０ｍｍの最大パイプ径を選択すべきことを示す第２情報ウィンドウ１６６がユーザに表示される。
【０１７８】
図２６ｂと同一の第１情報ウィンドウ１６４、及び２インチより大きいマーカーをこのサイズのパイプ直径のために使用することを示す追加の情報ウィンドウ１６８を示す図２６ｃに言及する。
【０１７９】
同時に表示されるウィンドウの数は１つ以上であってもよいことを理解すべきである。表示される実際の情報は、任意の好適な情報とすることができる。
【０１８０】
ユーザがパイプ及び／又はラベルのサイズ及び／又はフォントサイズ及び／又はテープ幅を変更したときに、異なる情報をユーザに提供することができる。図２６ａ〜ｃに示す例では、ユーザは、パイプマーキングのために特定の規格に準拠するラベルを提供することが推奨されている。
【０１８１】
他の実施形態では、表示される情報は、異なるタイプのラベルのいずれにも適用でき、かつ、特定の規格に準拠するようにユーザに奨励するためのメッセージ、又はテンプレート或いは単にラベルの利便性を向上させるためのメッセージとすることができることを理解すべきである。
【０１８２】
情報は、任意の好適なタイプのラベルのために提供できる。
【０１８３】
様々な異なるラベル用途を説明してきた。いくつかの実施形態では、１つのラベル用途に関連して説明した１以上の特徴を１以上の他のラベル用途で使用することができることを理解すべきである。
【０１８４】
単なる例示として、ラベル用途を、次の対象の１以上と共に使用できる：パイプ、ケーブル、ブレーカ、ワイヤ、パッチパネル、分配パネル、端子ブロック及び１１０ブロック。
【０１８５】
これらのポップアップ又はオーバーレイは、ユーザがラベルを効率的に作成するのに役立つ。ユーザが完全に新しいメニュー画面を用いるのとは対照的に、ラベル画像をオーバーレイすることでラベル作成処理をスピードアップすることができるのみならず、ユーザが別々の選択肢の中からより迅速に選択することを可能にすることもできる。例えば、ユーザがプロパティメニュー９３０を開き、そして代わりに挿入メニュー９２４を選択したい場合には、ユーザがしなければならないことは、挿入アイコン９２４を選択することが全てである。ユーザは、これを行う前に、以前に開かれたプロパティメニューを終了する必要はない。したがって、ラベルをより迅速に作成することができる。また、ディスプレイにおけるラベルの画像の少なくとも一部を維持することにより、ユーザは、表示されたオプションを移動させるときにラベルコンテキストに気づいたままであることができる。さらに、多くの項目を、ユーザに必要なナビゲーションの量を減少させることができるポップアップで同時に表示することができる。
【０１８６】
当業者であれば、ここに記載した方法のいずれもが、コントローラ（又は、上述した他の同様の装置）を制御するためのコンピュータ可読媒体（例えばスタンドアローンプリンタ内のＣＤＲＯＭ又はメモリ等）に具現化されたコンピュータプログラムを使用して実施できることを理解するであろう。
【０１８７】
実施形態は連続テープ又はダイカットラベルと共に使用され得る。ダイカットラベルは、連続的な裏当て層上に設けられるが、個々の事前にカットされたラベルである。該テープ又はダイカットラベルは、カセット内又は単にロール上に設けられ得る。
【０１８８】
上述したものは、所定の実施形態の原理を単に例示するに過ぎない。説明した実施形態に対する変更及び変形は、ここに記載した教示に鑑み、当業者には明かであろう。したがって、当業者は、ここに明示的に記載してはいないが、説明した実施形態の原理を具現化し、かつ、特許請求の範囲に定義される範囲内にある多くの技術を考え出すことができるであろうことが理解される。
【符号の説明】
【０１８９】
１  ラベルプリンタ
２  上方カセット
３  印刷域
４  画像受け取りテープ
５  出口
８  プラテン
１０  ケージモールディング
１１  下方カセット
１２  熱転写リボン
１４  凹部
１８  印刷ヘッド
２２  ガイド部
２４  ガイド部
２６  第１カセット受け取り部
２８  第２カセット受け取り部
３０  供給スプール
３２  巻き取りスプール
３４  ガイド部
３６  ガイド部
４０  カセットベイ
４４  カセット
４００  ユーザインターフェース
４０２  ホームアイコン
５００  ユーザインターフェース
５０２  オプション又はツールバー領域
５０４  ラベルプレビュー領域
５０６  データ入力領域
【図１】
2016517560.tif 000003
【図２】
2016517560.tif 000004
【図３】
2016517560.tif 000005
【図４】
2016517560.tif 000006
【図５】
2016517560.tif 000007
【図６】
2016517560.tif 000008
【図７】
2016517560.tif 000009
【図８】
2016517560.tif 000010
【図９】
2016517560.tif 000011
【図１０】
2016517560.tif 000012
【図１１】
2016517560.tif 000013
【図１２】
2016517560.tif 000014
【図１３】
2016517560.tif 000015
【図１４】
2016517560.tif 000016
【図１５】
2016517560.tif 000017
【図１６】
2016517560.tif 000018
【図１７】
2016517560.tif 000019
【図１８】
2016517560.tif 000020
【図１９】
2016517560.tif 000021
【図２０】
2016517560.tif 000022
【図２１ａ】
2016517560.tif 000023
【図２１ｂ】
2016517560.tif 000024
【図２２ａ】
2016517560.tif 000025
【図２２ｂ】
2016517560.tif 000026
【図２３ａ】
2016517560.tif 000027
【図２３ｂ】
2016517560.tif 000028
【図２３ｃ】
2016517560.tif 000029
【図２４ａ】
2016517560.tif 000030
【図２４ｂ】
2016517560.tif 000031
【図２５ａ】
2016517560.tif 000032
【図２５ｂ】
2016517560.tif 000033
【図２６ａ】
2016517560.tif 000034
【図２６ｂ】
2016517560.tif 000035
【図２６ｃ】
2016517560.tif 000036
【国際調査報告】
2016517560.tif 000037
2016517560.tif 000038